(57)【要約】  【課題】画面内を不均一に照明する撮影用照明装置を提供する。  【解決手段】各々が撮影画角内の異なる範囲を照明する(ｍ×ｎ)個の発光体のうち、一部の発光体を用いて被写体を照明し、意図的な照明むらをつける。あらかじめ複数の照明パターンを不揮発性メモリ１０４に格納しておき、パターン設定スイッチ（１０５）を繰り返し操作することによってサイクリックに選択可能に構成する。表示器１０３において、(ｍ×ｎ)個の発光体に対応してｍ行×ｎ列のマス目を表示可能に構成し、発光するように設定（確定）されている発光体を白く表示し、発光しないように設定されている発光体を黒く表示する。  【選択図】図１
2006010747.tif 000002
【特許請求の範囲】
【請求項１】
照射光軸がそれぞれ異なる複数の発光モジュールを有し、前記複数の発光モジュールが発する光で被写体を照明する照明手段と、
所定の照明パターンが得られるように前記複数の発光モジュールに対して個別に発光／非発光の設定および発光輝度設定のうち少なくとも１つを行う発光制御手段とを備えることを特徴とする撮影用照明装置。
【請求項２】
請求項１に記載の撮影用照明装置において、
前記複数の発光モジュールにそれぞれ設定されている発光／非発光および発光輝度を示す表示を行う表示手段と、
前記発光／非発光を設定する操作信号および前記発光輝度を設定する操作信号をそれぞれ発する操作手段と、
前記操作手段からの操作信号に応じて前記表示手段による表示内容を更新させる表示制御手段とを備えることを特徴とする撮影用照明装置。
【請求項３】
請求項２に記載の撮影用照明装置において、
前記表示手段による表示内容は前記照明パターンを表すことを特徴とする撮影用照明装置。
【請求項４】
請求項２または３に記載の撮影用照明装置において、
複数の異なる照明パターンを示す情報をそれぞれ記憶する記憶手段をさらに備え、
前記発光制御手段は、前記記憶手段から読み出された情報に対応する照明パターンが得られるように前記複数の発光モジュールに対する設定を行うことを特徴とする撮影用照明装置。
【請求項５】
請求項２〜４のいずれか一項に記載の撮影用照明装置において、
前記操作手段からの操作信号に応じて前記照明パターンを変更する照明パターン編集手段をさらに備えることを特徴とする撮影用照明装置。
【発明の詳細な説明】
【技術分野】
【０００１】
本発明は、撮影時に主要被写体を照明する照明装置に関する。
【背景技術】
【０００２】
複数のＬＥＤを用いた照明装置で主要被写体を照明するカメラが知られている（特許文献１参照）。特許文献１には、複数個のＬＥＤを撮影レンズに対して左右に分散配置することにより、照明光を１箇所から発光した場合に被写体の一方の側に生じる影を防止する技術が開示されている。
【０００３】
【特許文献１】特開２００２−２０７２３６号公報
【発明の開示】
【発明が解決しようとする課題】
【０００４】
特許文献１には、照明装置に複数のＬＥＤを備えることによって被写体に生じる影をなくしたり、全体の光量を高めることが記載されているが、画面内の輝度を意図的に不均一にすることは開示されていなかった。
【課題を解決するための手段】
【０００５】
本発明による撮影用照明装置は、照射光軸がそれぞれ異なる複数の発光モジュールを有し、複数の発光モジュールが発する光で被写体を照明する照明手段と、所定の照明パターンが得られるように複数の発光モジュールに対して個別に発光／非発光の設定および発光輝度設定のうち少なくとも１つを行う発光制御手段とを備えることを特徴とする。
上記撮影用照明装置はさらに、複数の発光モジュールにそれぞれ設定されている発光／非発光および発光輝度を示す表示を行う表示手段と、発光／非発光を設定する操作信号および発光輝度を設定する操作信号をそれぞれ発する操作手段と、操作手段からの操作信号に応じて表示手段による表示内容を更新させる表示制御手段とを備えるようにしてもよい。
上記表示手段による表示内容は照明パターンを表すこともできる。
撮影用照明装置はさらに、複数の異なる照明パターンを示す情報をそれぞれ記憶する記憶手段を備えてもよく、この場合の発光制御手段は、記憶手段から読み出された情報に対応する照明パターンが得られるように複数の発光モジュールに対する設定を行うことができる。操作手段からの操作信号に応じて照明パターンを変更する照明パターン編集手段をさらに備えてもよい。
【発明の効果】
【０００６】
本発明によれば、たとえば、スポット照明のように画面内を不均一に照明する撮影用照明装置を提供できる。
【発明を実施するための最良の形態】
【０００７】
以下、図面を参照して本発明を実施するための最良の形態について説明する。
（第一の実施形態）
図１は、本発明の第一の実施形態による照明装置を含むカメラシステムを説明する図である。図１において、カメラ１０のアクセサリシュー（不図示）に照明装置２０が装着されている。
【０００８】
図２は、照明装置２０の要部構成を説明するブロック図である。照明装置２０は、ＣＰＵ１０１と、表示情報生成回路１０２と、表示器１０３と、不揮発性メモリ１０４と、操作部材１０５と、ＬＥＤ（発光ダイオード）を発光させる発光回路２１とを含む。
【０００９】
ＣＰＵ１０１はＡＳＩＣなどによって構成される。ＣＰＵ１０１は、各ブロックから出力される信号を入力して所定の演算を行い、演算結果に基づく制御信号を各ブロックへ出力する。ＣＰＵ１０１はさらに、不図示のインターフェイス回路を介してカメラ側のＣＰＵとの間で通信を行う。カメラＣＰＵからは、ＬＥＤの発光開始や発光終了を指示するタイミング信号、発光輝度を指示する信号などが送信される。
【００１０】
表示情報生成回路１０２は、ＣＰＵ１０１から指令を受けて表示器１０３に表示する情報を生成する。表示情報は、たとえば、照明装置２０による照明パターンの設定情報などである。照明パターンについては後述する。表示器１０３は、たとえば、液晶表示パネルなどによって構成され、表示情報生成回路１０２によって生成された表示情報を表示する。
【００１１】
不揮発性メモリ１０４は、照明装置２０の電源スイッチ（不図示）がオフされても記憶内容が保持されるように構成されている。不揮発性メモリ１０４には、ＬＥＤの発光輝度と供給電流との関係を示すデータ、設定されている照明パターンのデータなどが記憶される。
【００１２】
操作部材１０５は後述する十字スイッチなどの操作スイッチを含み、たとえば、照明装置２０に照明パターンを設定する場合に行われる設定操作に応じた操作信号をＣＰＵ１０１へ出力する。
【００１３】
ＣＰＵ１０１は、カメラＣＰＵから発光指示を受けると発光回路２１のＬＥＤを点灯させる。図３は、照明装置２０の発光窓から見たＬＥＤの配列を示す図である。ＬＥＤは、たとえばｍ行×ｎ列に配列された計(ｍ×ｎ)個の白色ＬＥＤによって構成される。最上列左端のＬＥＤを１１Ａとし、最上列右端のＬＥＤを１ｎＡとする。上から２行目左端のＬＥＤを２１Ａとし、２行目右端のＬＥＤを２ｎＡとする。同様に、最下行左端のＬＥＤをｍ１Ａとし、最下行右端のＬＥＤをｍｎＡとする。これら(ｍ×ｎ)個のＬＥＤは、それぞれ個別に、輝度調節、点灯および消灯が可能に構成されている。
【００１４】
図４は、発光回路２１の構成例を示す図である。図４において、発光回路２１は照明制御回路２１１と、電流供給回路１１〜ｍｎと、ＬＥＤ１１Ａ〜ｍｎＡとを有する。
【００１５】
電流供給回路１１〜ｍｎは、それぞれＬＥＤ駆動用の集積回路などによって構成され、上述した(ｍ×ｎ)個のＬＥＤ１１Ａ〜ｍｎＡにそれぞれ対応するように設けられている。電流供給回路１１〜ｍｎは、電池（不図示）から供給される電池電圧をＬＥＤ１１Ａ〜ｍｎＡの駆動に必要な所定の電圧（たとえば、３Ｖ）に昇圧し、照明制御回路２１１から送出される指令に応じて各ＬＥＤへ所定の電流を供給する。電流供給回路１１はＬＥＤ１１Ａへ駆動電流を供給し、電流供給回路１２はＬＥＤ１２Ａへ駆動電流を供給する。以下同様に、電流供給回路ｍｎはＬＥＤｍｎＡへ駆動電流を供給する。各ＬＥＤに供給する電流値は、ＣＰＵ１０１（図２）が決定する。
【００１６】
周知のように、ＬＥＤはその定格範囲において駆動電流および発光輝度（発光強度）間に比例関係を有する電流制御型デバイスである。照明制御回路２１１は、各ＬＥＤへ供給する駆動電流を個別に制御することにより、各ＬＥＤから発せられる光量を個別に調節する。
【００１７】
照明制御回路２１１は、ＣＰＵ１０１からの指示内容に基づく電流値の電流を、指示されたタイミングでＬＥＤ１１Ａ〜ｍｎＡへ供給するように電流供給回路１１〜ｍｎへ指令を送る。これにより、各ＬＥＤが発光／消灯するタイミングおよび各ＬＥＤから発する光量が制御される。
【００１８】
本実施の形態では、設定されているシャッタ速度に対応する露光時間の範囲において、一定の発光輝度で各ＬＥＤを連続発光させる。各ＬＥＤによる発光量は発光輝度および発光時間の積で示されるので、シャッタ速度が決まれば発光輝度が決定される。ＣＰＵ１０１は、シャッタ速度に応じて決まる発光輝度情報をカメラＣＰＵから取得すると、各ＬＥＤに対して必要な電流値を決定して照明制御回路２１１へ指示する。
【００１９】
各ＬＥＤの発光輝度と供給電流との関係は、あらかじめ実測結果に基づくデータがテーブル化され不揮発性メモリ１０４に格納されている。ＣＰＵ１０１は、発光輝度を引数として上記テーブルを参照して必要な供給電流を決定し、この電流値を照明制御回路２１１を介して各電流供給回路１１〜ｍｎへ指示する。電流供給回路１１〜ｍｎは、照明制御回路２１１から送出される指令にしたがって電流を各ＬＥＤへ供給する。
【００２０】
不揮発性メモリ１０４には、以下のようにデータが格納されている。これらのデータは、たとえば、照明装置２０が不図示の輝度調整治工具に装着された状態で格納される。
（ＬＥＤ個体のばらつき補正のためのデータ）
照明装置２０が不図示の輝度調整治工具に装着されると、輝度調整治工具内の制御回路と照明装置２０のＣＰＵ１０１とがインターフェイス回路（不図示）を介して通信を行う。輝度調整治工具の制御回路は、ＬＥＤ１１Ａ〜ｍｎＡのそれぞれに同一値の電流（たとえば、定格電流の７０％）を順次供給してＬＥＤを順次発光させるようにＣＰＵ１０１へ指令を送る。ＣＰＵ１０１は照明制御回路２１１へ指令を送り、ＬＥＤ１１Ａ〜ｍｎＡに対して順番に上記所定電流を供給させる。これにより、各ＬＥＤが同じ大きさの電流で順次駆動される。
【００２１】
輝度調整治工具には、不図示の受光センサが接続されている。受光センサは、各ＬＥＤから順次出力される光を受光し、受光信号の強さを示すデータ（測光データ）を輝度調整治工具へ出力する。輝度調整治工具の制御回路は、当該測光データをＣＰＵ１０１へ送るとともに、測光データを不揮発性メモリ１０４へ格納するようにＣＰＵ１０１へ指示する。ＣＰＵ１０１は、輝度調整治工具の制御回路からの指示に応じて、各測光データをＬＥＤ１１Ａ〜ｍｎＡのそれぞれに対応づけて不揮発性メモリ１０４へ格納する。不揮発性メモリ１０４に格納されたデータは、同一値の電流が供給された場合の各ＬＥＤの発光輝度を示す。
【００２２】
ＣＰＵ１０１はさらに、ＬＥＤの測光データを用いてＬＥＤの発光輝度と供給電流との関係を示すテーブルデータを作成し、不揮発性メモリ１０４に格納する。一般に、ＬＥＤは駆動電流および発光輝度間に比例関係を有する一方で、同一値の駆動電流における発光輝度はＬＥＤごとに個体差を有する。本実施形態では、駆動電流および発光輝度間の比例係数が全てのＬＥＤで同一であるとみなし、ＬＥＤのＩ−Ｌ特性（駆動電流−発光輝度特性）を示す１組の駆動電流−発光輝度テーブルが不揮発性メモリ１０４に格納される。
【００２３】
駆動電流−発光輝度テーブルは、ＬＥＤ１１Ａ〜ｍｎＡのいずれかに添付されている試験データを用いてもよいし、ＬＥＤ１１Ａ〜ｍｎＡのいずれかを実測したデータでもよい。ただし、ＬＥＤ１１Ａ〜ｍｎＡと異なる種類のＬＥＤのデータは適さない。
【００２４】
不揮発性メモリ１０４に対するＬＥＤ１１Ａ〜ｍｎＡそれぞれの測光データの格納、および駆動電流−発光輝度テーブルの格納は、照明装置２０の製品組立時に行われる。
【００２５】
上述したようにテーブルデータおよび測光データが不揮発性メモリ１０４に格納された照明装置２０のＣＰＵ１０１は、撮影時にテーブルを参照してＬＥＤへ供給する電流値を決定するとき、以下のようにＬＥＤ個体のばらつきを補正する。たとえば、不揮発性メモリ１０４に格納されている（ｍ×ｎ）個の全測光データの最大値と、電流値決定の対象とするＬＥＤの測光データとの相対比を算出し、算出した比を不揮発性メモリ１０４のテーブルから読み出した電流値に掛け合わせる。具体例として、対象ＬＥＤの測光データが全測光データの最大値の８０％である場合を想定する。この場合の上記算出比は１／０．８＝１．２５となる。ＣＰＵ１０１は、テーブルから読み出した電流値に１．２５を掛けてテーブルデータより２５％多くの電流が当該ＬＥＤに供給されるようにする。これにより、測光データが小さいＬＥＤ（同一値の電流が供給された場合の発光輝度が低いＬＥＤ）へ供給される電流が大きくなり、ＬＥＤ個体のばらつきが補正される。この結果、ＬＥＤ１１Ａ〜ｍｎＡが全て点灯されるとき、全ＬＥＤが略等しい輝度で発光する。
【００２６】
（中央部と周辺部の補正のためのデータ）
図５は、照明装置２０のＬＥＤ群によって照明される範囲を説明する図である。図５において、ＬＥＤ１１Ａをはじめとする最左列を構成するＬＥＤ群からの照明光は、被写体側から見て撮影画角の左端部を照明する。また、ＬＥＤ１(ｎ/２)Ａをはじめとする中央列を構成するＬＥＤ群からの照明光は、撮影画角の中央部を照明する。さらにまた、ＬＥＤ１ｎＡをはじめとする最右列を構成するＬＥＤ群からの照明光は、被写体側から見て撮影画角の右端部を照明する。
【００２７】
このように、ＬＥＤ１１Ａ〜ｍｎＡの各ＬＥＤは、それぞれ撮影画角内の異なる範囲を照明する。図５は水平方向の照明範囲について説明する図であるが、垂直方向についても同様である。
【００２８】
図５から明らかなように、ＬＥＤ１１Ａ〜ｍｎＡが全て同じ輝度で発光しても、撮影画角における周辺部の被写体輝度は、撮影画角における中央部の被写体輝度に比べて低くなる。撮影距離をＤとすれば、ＬＥＤ１１Ａから水平方向の画角限界点Ｂまでの距離Ｄ'は次式（１）で表される。
Ｄ'＝Ｄ／cosθ                                      （１）
ただし、θは撮影レンズの光軸に平行な線と、ＬＥＤ１１Ａの光軸（照明光束の中央を通る線）とが作る角度である。撮影距離Ｄは、ＬＥＤ１(ｎ/２)Ａによる照明距離に対応する。距離Ｄ'は、ＬＥＤ１１Ａによる照明距離に対応する。
【００２９】
したがって、点Ｂにおける輝度と、中央部の点Ａにおける輝度との差ΔＥＶは次式（２）で表される。
ΔＥＶ＝ｌｎ(Ｄ'／Ｄ)／ｌｎ(√２)                   （２）
【００３０】
具体例として、銀塩１３５mmフィルムで焦点距離３５mmの撮影レンズを使用する場合を想定する。この場合には、照明すべき左右の撮影画角は６０度となり、上記θ＝３０度である。上式（１）および（２）にθ＝３０度を代入すると、ΔＥＶは約−０．４１５となる。つまり、点Ｂは点Ａに比べて０．４１５ＥＶ暗くなる。
【００３１】
したがって、ＬＥＤ１１ＡをＬＥＤ１(ｎ/２)Ａに比べて２0.415だけ発光輝度を高めて明るく発光させると、点Ｂおよび点Ａにおける輝度が等しくなる。このような発光輝度の補正をＬＥＤ１１Ａ〜ｍｎＡについてそれぞれ行うことにより、撮影画角の中央を照明するＬＥＤ１(ｎ/２)Ａの発光輝度に対し、撮影画角限界に近いところを照明するＬＥＤほど発光輝度が徐々に高まるように発光輝度が調節される。この結果、ＬＥＤ１１Ａ〜ｍｎＡが全て点灯されるとき、撮影画角内が略等しい輝度となるように照明される。
【００３２】
以上のような撮影画角における中央部と周辺部の輝度補正は、ＬＥＤ個体のばらつきを補正した上で行う。
【００３３】
撮影距離を示す情報は、カメラＣＰＵからＣＰＵ１０１へ入力されている。ＣＰＵ１０１は、この撮影距離情報を用いて、撮影画角における中央部と周辺部の輝度補正処理を行う。
【００３４】
本発明は、上述した照明装置２０で、たとえばスポット照明のように意図的な照明むらをつけるようにしたものである。第一の実施形態では、ＬＥＤ１１Ａ〜ｍｎＡのうち一部のＬＥＤが被写体を照明する。なお、照明装置２０による全体の発光輝度は、露出演算によって適正露出となるように制御（調光制御）されている。
【００３５】
図６は、照明装置２０の背面に配設されている表示器１０３、および操作部材１０５を説明する図である。表示器１０３は、(ｍ×ｎ)個のＬＥＤに対応してｍ行×ｎ列のマス目を表示可能に構成されている。
【００３６】
十字スイッチＳＷ２〜ＳＷ５、パターン設定スイッチＳＷ１、確定スイッチＳＷ６、追加スイッチＳＷ７、および削除スイッチＳＷ８は、操作部材１０５を構成する。
【００３７】
操作者によってパターン設定スイッチＳＷ１が押下操作されると、ＣＰＵ１０１は、あらかじめ不揮発性メモリ１０４内に格納されている照明パターンのデータが示す表示を表示器１０３に表示させる。図７は、丸型のスポット照明パターンを示す表示例を説明する図である。マス目に対応させて、発光させるＬＥＤを白く、発光させないＬＥＤを黒く表している。ＣＰＵ１０１は、パターン設定スイッチＳＷ１が操作されるごとに異なる照明パターンのデータを不揮発性メモリ１０４から読み出し、読み出したデータに対応する照明パターン、たとえば、図８のような三角形のスポット照明パターン、星型のスポット照明パターン（不図示）、ハート型のスポット照明パターン（不図示）などをサイクリックに切り換えて表示する。読み出される照明パターンには、全ＬＥＤを点灯する照明パターンや、操作者が任意に指定する照明パターンも含まれる。
【００３８】
操作者によって確定スイッチＳＷ６が押下操作されると、ＣＰＵ１０１は、その時点で表示器１０３に表示している照明パターンを発光時の照明パターンとして設定登録する。ＣＰＵ１０１は、この状態でカメラＣＰＵから発光指示を受けると、登録されている照明パターンに対応するＬＥＤのみを点灯させる。
【００３９】
操作者が任意に指定する照明パターンについて説明する。パターン設定スイッチＳＷ１が繰り返し操作される中で、ＣＰＵ１０１は自由設定画面を表示器１０３に表示させる。図６の表示器１０３は、自由設定画面が表示されている状態を表したものである。表示器１０３の左上はカーソルａの初期位置である。カーソルは、たとえば、マスを囲む太枠を点滅させて表示する。カーソル位置を移動させるには、操作者が十字スイッチＳＷ２〜ＳＷ５を押下操作して移動させる。ＣＰＵ１０１は、右向き十字スイッチＳＷ４が押下操作されると、現在表示中のカーソル位置より１つ右のマスへカーソルを移動させる。ＣＰＵ１０１は、下向き十字スイッチＳＷ３が押下操作されると、現在表示中のカーソル位置より１つ下のマスへカーソルを移動させる。
【００４０】
操作者によって確定スイッチＳＷ６が押下操作されると、ＣＰＵ１０１は、その時点で点滅しているカーソルを点灯表示に切り換えて確定する。確定後続けて十字スイッチＳＷ２〜ＳＷ５のいずれかが押下操作されると、上記確定位置から新たなカーソルを点滅表示させて十字スイッチの操作方向へ移動させる。なお、確定位置には点灯表示を残す。新たなカーソルが生成されない状態で確定スイッチＳＷ６が押下操作される（すなわち、確定スイッチＳＷ６が２回続けて押下操作される）と、ＣＰＵ１０１は、その時点で点灯表示によって確定されているマス位置を白く、確定されていないマス位置を黒く表示させるとともに、確定されているマス位置によって示される照明パターンを発光時の照明パターンとして設定登録する。これにより、操作者が任意に指定する照明パターンが図７および図８と同様に表示器１０３に表示される。ＣＰＵ１０１は、この状態でカメラＣＰＵから発光指示を受けると、この照明パターンに対応するＬＥＤのみを点灯させる。操作者が任意に指定した照明パターンを示すデータは、上記設定登録時に不揮発性メモリ１０４に記憶される。
【００４１】
登録済み照明パターンの変更は以下のように行われる。図７および図８のように表示器１０３に照明パターンが表示されている状態で、操作者によって追加スイッチＳＷ７が押下操作されると、ＣＰＵ１０１は、表示器１０３上の初期位置にカーソルａを点滅表示させる。カーソル位置を移動させるには、操作者が十字スイッチＳＷ２〜ＳＷ５を操作して移動させる。
【００４２】
操作者によって確定スイッチＳＷ６が押下操作されると、ＣＰＵ１０１は、その時点でカーソルが点滅しているマス位置に対する確定を解除する。ＣＰＵ１０１はさらに、解除されたマス位置の表示を白表示から黒表示に切り換える。これにより、任意のＬＥＤが照明パターンから除外される。
【００４３】
図７および図８のように表示器１０３に照明パターンが表示されている状態で、操作者によって削除スイッチＳＷ８が押下操作されると、ＣＰＵ１０１は、表示器１０３上の初期位置にカーソルａを点滅表示させる。カーソル位置を移動させるには、操作者が十字スイッチＳＷ２〜ＳＷ５を操作して移動させる。
【００４４】
操作者によって確定スイッチＳＷ６が押下操作されると、ＣＰＵ１０１は、その時点でカーソルが点滅しているマス位置を確定する。ＣＰＵ１０１はさらに、確定されたマス位置の表示を黒表示から白表示に切り換える。これにより、任意のＬＥＤが照明パターンに追加される。操作者によって除外または追加された情報は、不揮発性メモリ１０４に更新記憶される。
【００４５】
以上説明した第一の実施形態についてまとめる。
（１）照明装置２０の発光体を(ｍ×ｎ)個のＬＥＤ１１Ａ〜ｍｎＡによって構成し、各ＬＥＤで撮影画角内の異なる範囲を照明する。
【００４６】
（２）ＬＥＤ１１Ａ〜ｍｎＡのそれぞれに同一値の電流を供給した場合の各ＬＥＤの発光輝度を示すデータと、ＬＥＤのＩ−Ｌ特性（駆動電流−発光輝度特性）を示すテーブルデータとを不揮発性メモリ１０４に記憶する。テーブルデータは、駆動電流および発光輝度間の比例係数が全てのＬＥＤで同一であるとみなし、１組の駆動電流−発光輝度テーブルのみを記憶する。したがって、ＬＥＤそれぞれについて駆動電流−発光輝度テーブルを用意する場合に比べて、データを得るための計測時間が短縮できる上に、不揮発性メモリ１０４の記憶容量を抑えることもできる。
【００４７】
（３）照明装置２０の点灯時に各ＬＥＤへ供給する電流値を決定するとき、不揮発性メモリ１０４に格納されている(ｍ×ｎ)個の全測光データの最大値と、電流値決定の対象とするＬＥＤの測光データとの相対比を算出し、算出した比を不揮発性メモリ１０４のテーブルから読み出した電流値に掛け合わせる。これにより、同一値の電流が供給された場合の発光輝度が低い（発光効率が低い）ＬＥＤへ供給される電流が大きくなり、ＬＥＤごとの発光輝度のばらつきが補正される。この結果、ＬＥＤ１１Ａ〜ｍｎＡが全て点灯されるとき、全ＬＥＤが略等しい均一輝度で発光して被写体をむらなく照明できる。
【００４８】
（４）撮影画角の中央を照明するＬＥＤ１(ｎ/２)Ａによる照明距離Ｄと、ＬＥＤ１(ｎ/２)Ａと異なる範囲を照明するＬＥＤの照明距離Ｄ'との違いによって生じる輝度差を補正するようにしたので、撮影画角の中央を照明するＬＥＤ１(ｎ/２)Ａの発光輝度に対し、撮影画角限界に近いところを照明するＬＥＤほど発光輝度が徐々に高まるように発光輝度が調節される。この結果、ＬＥＤ１１Ａ〜ｍｎＡが全て点灯されるとき、撮影画角内が略等しい輝度となるようにむらなく照明できる。
【００４９】
（５）各々が撮影画角内の異なる範囲を照明する(ｍ×ｎ)個の発光体のうち、一部の発光体を用いて被写体を照明し、意図的な照明むらをつけるようにした。したがって、スポット照明など撮影者が意図する照明効果を得ることができる。
【００５０】
（６）あらかじめ複数の照明パターンを不揮発性メモリ１０４に格納しておき、パターン設定スイッチＳＷ１を繰り返し操作することによってサイクリックに選択できるようにしたので、簡単に照明パターンを選ぶことができる。
【００５１】
（７）表示器１０３において、(ｍ×ｎ)個の発光体に対応してｍ行×ｎ列のマス目を表示可能に構成し、発光するように設定（確定）されている発光体を白く表示し、発光しないように設定されている発光体を黒く表示するようにした。これにより、撮影者に対してどのような照明パターンで発光するかを視覚的にわかりやすく報知できる。
【００５２】
ＬＥＤの駆動電流−発光輝度テーブルは、１組のテーブルデータだけ不揮発性メモリ１０４に格納するようにしたが、各ＬＥＤに対応させて(ｍ×ｎ)組のデータを格納してもよい。
【００５３】
照明装置２０を構成するＬＥＤ１１Ａ〜ｍｎＡの配列形状は、上述した長方形に限らず、円形、楕円形、正方形のいずれでもよい。
【００５４】
測光データや駆動電流−発光輝度テーブルデータは、不揮発性メモリ１０４の代わりに通常のＲＡＭに格納してもよい。この場合には、バックアップ電池によってＲＡＭ内の記憶内容を保持するようにする。
【００５５】
照明装置２０に受光センサを設け、輝度調整治工具の機能を備えてもよい。この場合には、輝度調整治工具を用意しなくても照明装置２０単体で各ＬＥＤの発光輝度を測定（セルフチェック）することが可能になる。
【００５６】
照明装置２０でセルフチェックが可能に構成されている場合は、記憶内容を保持しないメモリ（ＲＡＭ）に測光データや駆動電流−発光輝度テーブルデータを格納してもよい。この場合には、起動時に毎回セルフチェックを行って測光データや駆動電流−発光輝度テーブルデータをメモリに格納する。
【００５７】
ＬＥＤ１１Ａ〜ｍｎＡの各ＬＥＤがそれぞれ撮影画角内の異なる範囲を照明するためには、ＬＥＤの射出光の向きがそれぞれ異なるように各ＬＥＤの向きを調節したり、射出光の向きがそれぞれ異なるようにＬＥＤ１１Ａ〜ｍｎＡの射出光側にレンズもしくはプリズムなどの光学部材を配設したりする。なお、撮影画角は、左右方向に１２０度、上下方向に１１０度カバーすると実用的である。
【００５８】
上述した説明では、同一値の電流が供給された場合の各ＬＥＤの発光輝度を示すデータを不揮発性メモリ１０４に格納するようにした。この代わりに、各ＬＥＤを同一輝度で発光させるために各ＬＥＤに供給する電流値を示すデータを格納するようにしてもよい。
【００５９】
（第二の実施形態）
第二の実施形態では、ＬＥＤ１１Ａ〜ｍｎＡのうち点灯するＬＥＤ間で意図的に輝度差をつけて被写体を照明する。なお、照明装置２０による全体の発光輝度が露出演算によって適正露出となるように制御（調光制御）される点は、第一の実施形態と同様である。
【００６０】
確定スイッチＳＷ６は、押下操作の他に回転操作が可能に構成されている。ＣＰＵ１０１は、表示器１０３上において上述したように確定されているマス位置にカーソルが位置する状態で確定スイッチＳＷ６が回転操作されると、回転操作量に応じて当該マス位置の白表示輝度を変化させる。右回し操作で表示輝度を高め、左回し操作で表示輝度を低くする。
【００６１】
操作者によって確定スイッチＳＷ６がさらに押下操作されると、ＣＰＵ１０１は、その時点における当該マス位置の白表示輝度を確定する。確定後続けて十字スイッチＳＷ２〜ＳＷ５のいずれかが押下操作されると、確定位置から新たなカーソルを点滅表示させて十字スイッチの操作方向へ移動させる。新たなカーソルが生成されない状態で確定スイッチＳＷ６が押下操作される（すなわち、確定スイッチＳＷ６が２回続けて押下操作される）と、ＣＰＵ１０１は、その時点の各マス位置の点灯状態によって示される照明パターンを発光時の照明パターンとして登録する。この場合の照明パターンは輝度情報も含む。これにより、操作者が任意に指定する照明パターンが図９のように表示器１０３に表示される。図９において、撮影画角の周囲を照明するＬＥＤ群の輝度が高く、中央部を照明するＬＥＤ群の輝度が低くされている。なお、この輝度差は撮影画角内の輝度むらを抑えるためではなく、意図的に輝度差を生じさせるためのものである。
【００６２】
ＣＰＵ１０１は、この状態でカメラＣＰＵから発光指示を受けると、照明パターンに応じた輝度差をつけてＬＥＤを点灯させる。 つまり、撮影画角の中央を照明するＬＥＤ群の発光輝度に対し、撮影画角周囲に近いところを照明するＬＥＤほど発光輝度を高くするように発光輝度が調節される。
【００６３】
以上説明した第二の実施形態によれば、各々が撮影画角内の異なる範囲を照明する(ｍ×ｎ)個の発光体について、個別に発光体の輝度を変えて照明するように構成して意図的な照明むらをつけられるようにした。したがって、発光体の一部を点灯もしくは消灯させる第一の実施形態に比べて、さらに細かい照明効果を得ることができる。また、表示器１０３において、(ｍ×ｎ)個の発光体に対応してｍ行×ｎ列のマス目を表示可能に構成し、発光するように設定（確定）されている発光体を示す白表示の輝度を、当該発光体の発光輝度に応じて変えて表示するようにした。これにより、撮影者に対してどのような照明パターンで発光するかを視覚的にわかりやすく報知できる。
【００６４】
上述したＬＥＤ個体のばらつき補正について、ＬＥＤ個体のばらつきが無視できる程度であれば、個体輝度差の補正を省略してもよい。
【００６５】
また、上述した中央部と周辺部の補正において、撮影画角内の輝度差が無視できる程度であれば、撮影画角内の輝度差補正を省略してもよい。
【００６６】
発光体はＬＥＤに限らず電球であってもよい。
【００６７】
発光体に輝度差（濃淡）をつけて意図的な照明むらを得るようにしたが、濃淡の代わりに着色することによって照明むらを得てもよい。
【００６８】
特許請求の範囲における各構成要素と、発明を実施するための最良の形態における各構成要素との対応について説明する。発光モジュールは、たとえば、ＬＥＤ１１Ａ〜ｍｎＡによって構成される。なお、発光モジュールは本実施形態のように１つのＬＥＤで構成してもよいし、照射範囲を同一に調整した複数のＬＥＤを組合わせて構成してもよい。照明手段は、たとえば、発光回路２１によって構成される。発光制御手段、表示制御手段、および照明パターン編集手段は、たとえば、ＣＰＵ１０１によって構成される。表示手段は、たとえば、表示情報生成回路１０２および表示器１０３によって構成される。操作手段は、たとえば、操作部材１０５によって構成される。記憶手段は、たとえば、不揮発性メモリ１０４によって構成される。なお、本発明の特徴的な機能を損なわない限り、各構成要素は上記構成に限定されるものではない。
【図面の簡単な説明】
【００６９】
【図１】本発明の第一の実施形態による照明装置を含むカメラシステムを説明する図である。
【図２】照明装置の要部構成を説明するブロック図である。
【図３】照明装置の発光窓から見たＬＥＤの配列を示す図である。
【図４】発光回路の構成例を示す図である。
【図５】照明装置のＬＥＤ群によって照明される範囲を説明する図である。
【図６】照明装置に配設されている表示器および操作部材を説明する図である。
【図７】照明パターンを示す表示例を表す図である。
【図８】照明パターンを示す表示例を表す図である。
【図９】第二の実施形態による照明パターンを示す表示例を表す図である。
【符号の説明】
【００７０】
１０…カメラ
１１〜ｍｎ…電流供給回路
１１Ａ〜ｍｎＡ…ＬＥＤ
２０…照明装置
２１…発光回路
１０１…ＣＰＵ
１０２…表示情報生成回路
１０３…表示器
１０４…不揮発性メモリ
１０５…操作部材
２１１…照明制御回路
【図１】
2006010747.tif 000003
【図２】
2006010747.tif 000004
【図３】
2006010747.tif 000005
【図４】
2006010747.tif 000006
【図５】
2006010747.tif 000007
【図６】
2006010747.tif 000008
【図７】
2006010747.tif 000009
【図８】
2006010747.tif 000010
【図９】
2006010747.tif 000011